(57)【要約】【課題】  洗浄中に汚水が掃除口３０から流出し難い構成を確保しつつ、洗浄ノズル及び給水ホースを排水立て管の上流側に送り易くすることを目的とする。【解決手段】  本発明に係る脚部継手は、排水立て管と排水横主管とを接続するための脚部継手２０あって、排水立て管との接続に使用される立て管接続口２２と、排水横主管との接続に使用される横主管接続口２４と、立て管接続口２２と横主管接続口２４との間で、略円弧形に形成されている曲がり管２６とを有しており、曲がり管２６の円弧中心側の外側面には、横主管接続口２４の近傍に掃除口３０が形成されており、掃除口３０は、その掃除口３０の軸心Ｊｃが曲がり管２６の軸心Ｊｍに対して直角になるように形成されている。【選択図】      図１
2005232907.tif 000002
【特許請求の範囲】
【請求項１】
集合住宅の各階の排水をまとめて流下させる排水立て管と、前記集合住宅の下階のコンクリートスラブの下側に配管されており、前記排水立て管によって導かれた排水を所定位置まで横方向に搬送する排水横主管とを備える排水設備において、前記排水立て管と前記排水横主管とを接続するための脚部継手あって、
前記排水立て管との接続に使用される立て管接続口と、
前記排水横主管との接続に使用される横主管接続口と、
前記立て管接続口と横主管接続口との間で、略円弧形に形成されている曲がり管とを有しており、
前記曲がり管の円弧中心側の外側面には、前記横主管接続口の近傍に掃除口が形成されており、
前記掃除口は、その掃除口の軸心が前記曲がり管の軸心に対して直角になるように形成されていることを特徴とする脚部継手。
【請求項２】
請求項１に記載の脚部継手であって、
掃除口は奥側で拡開するように構成されていることを特徴とする脚部継手。
【請求項３】
請求項１又は請求項２に記載の脚部継手であって、
掃除口は、曲がり管の周方向に複数個形成されていることを特徴とする脚部継手。
【請求項４】
集合住宅の各階の排水をまとめて流下させる排水立て管と、前記集合住宅の下階のコンクリートスラブの下側に配管されており、前記排水立て管によって導かれた排水を所定位置まで横方向に搬送する排水横主管と、前記排水立て管と前記排水横主管とを接続する脚部継手とを備える排水設備であって、
前記排水横主管と前記脚部継手との間、あるいは前記排水横主管の途中には、掃除口を備える管継手がその掃除口を上向きにした状態で、前記排水横主管と同軸、かつその排水横主管に対して軸心回りに回動可能な構成で連結されており、
前記掃除口は、その掃除口の軸心が前記管継手の軸心に対して直角、あるいは下流側に傾斜するように形成されていることを特徴とする排水設備。
【請求項５】
請求項４に記載の排水設備であって、
掃除口は奥側で拡開するように構成されていることを特徴とする排水設備。
【請求項６】
請求項４又は請求項５に記載の排水設備であって、
脚部継手は、コンクリートスラブの貫通孔に通される構成で、排水立て管を接続可能な立て管接続口が前記コンクリートスラブの上側に突出しており、管継手あるいは排水横主管を接続可能な横主管接続口が前記コンクリートスラブの下側で横向きに位置決めされていることを特徴とする排水設備。
【請求項７】
請求項４から請求項６のいずれかに記載の排水設備であって、
管継手は、脚部継手との接続に使用される脚部継手接続部と、
排水横主管との接続に使用される横主管接続部と、
前記脚部継手接続部と横主管接続部との間に形成されている直管部とを有しており、
掃除口は、その直管部の中央部に設けられていることを特徴とする排水設備。
【請求項８】
請求項７に記載の排水設備であって
掃除口は、直管部の端部寄りに設けられていることを特徴とする排水設備。
【発明の詳細な説明】
【技術分野】
【０００１】
本発明は、集合住宅の各階の排水をまとめて流下させる排水立て管と、前記集合住宅の下階のコンクリートスラブの下側に配管されており、前記排水立て管によって導かれた排水を所定位置まで横方向に搬送する排水横主管とを備える排水設備において、前記排水立て管と前記排水横主管とを接続するための脚部継手及び排水設備に関する。
【背景技術】
【０００２】
上記した脚部継手に関する技術が特許文献１に記載されている。
この脚部継手９０は、図７に示すように、排水立て管９８が接続される立て管接続口９２と、排水横主管９６が接続される横主管接続口９４とを有しており、立て管接続口９２と横主管接続口９４との間に、略円弧形の曲がり管９５が形成されている。曲がり管９５の円弧中心側に位置する外側面、即ち、曲がり管９５の上面には立て管接続口９２の近傍に掃除口９５ｃが上向きに形成されている。このように、掃除口９５ｃが上向きに形成されているため、その掃除口９５ｃに洗浄ノズル９９及び洗浄ホース９９ｈを挿入して排水立て管９８の洗浄を行う際に汚水が掃除口９５ｃから流出し難くなる。
【０００３】
【特許文献１】特開２００２−１２９６１５号公報
【発明の開示】
【発明が解決しようとする課題】
【０００４】
しかし、掃除口９５ｃが立て管接続口９２の近傍で上向きに形成されているため、掃除口９５ｃの軸心Ｊｃと、曲がり管９５の軸心Ｊｍとの成す角θ（掃除口９５ｃの上流側における成す角θ）は鋭角になる。このため、洗浄ノズル９９及び洗浄ホース９９ｈを掃除口９５ｃに挿入して排水立て管９８の洗浄を行う際に、洗浄ホース９９ｈの曲げ半径が小さくなる。洗浄ホース９９ｈの曲げ半径が小さくなると、洗浄ホース９９ｈが掃除口９５ｃの開口縁に引っ掛かり易くなるとともに、洗浄ホース９９ｈを掃除口９５ｃに押し込む力を洗浄ノズル９９の送り力として有効に利用できなくなる。さらに、洗浄ホース９９ｈを排水立て管９８の上流側に送る際の送り抵抗も大きくなる。このため、後方に洗浄水を噴射する後方噴射型の洗浄ノズル９９を使用してもその推進力を有効に利用できないという問題がある。
【０００５】
本発明は、上記した問題点を解決するためになされたものであり、本発明が解決しようとする課題は、洗浄中に汚水が掃除口から流出し難い構成を確保しつつ、洗浄ノズル及び洗浄ホースを排水立て管の上流側に送り易くすることである。
【課題を解決するための手段】
【０００６】
上記した課題は、各請求項の発明によって解決される。
請求項１の発明は、集合住宅の各階の排水をまとめて流下させる排水立て管と、前記集合住宅の下階のコンクリートスラブの下側に配管されており、前記排水立て管によって導かれた排水を所定位置まで横方向に搬送する排水横主管とを備える排水設備において、前記排水立て管と前記排水横主管とを接続するための脚部継手あって、前記排水立て管との接続に使用される立て管接続口と、前記排水横主管との接続に使用される横主管接続口と、前記立て管接続口と横主管接続口との間で、略円弧形に形成されている曲がり管とを有しており、前記曲がり管の円弧中心側の外側面には、前記横主管接続口の近傍に掃除口が形成されており、前記掃除口は、その掃除口の軸心が前記曲がり管の軸心に対して直角になるように形成されていることを特徴とする。
なお、掃除口とは、排水管を洗浄するときに、洗浄ノズル及び洗浄ホースを挿入するための開口であり、洗浄時以外はプラグあるいは蓋で塞がれているものとする。
【０００７】
本発明によると、掃除口は、横主管接続口の近傍で、かつ曲がり管の円弧中心側に位置する外側面に形成されている。このため、脚部継手が排水立て管及び排水横主管に接続された状態で、掃除口は上向きになる。したがって、排水立て管の洗浄中であっても汚水が掃除口から流出し難くなる。
また、掃除口の軸心が曲がり管の軸心に対して直角になるように、その掃除口が形成されている。このため、掃除口から洗浄ノズルを上流側、即ち、排水立て管側に送る際に、洗浄ホースの曲げ半径を従来よりも大きくできる。これによって、洗浄ホースが掃除口の開口縁に引っ掛かり難くなるとともに、洗浄ホースを掃除口に押し込む力を洗浄ノズルの送り力として有効に利用できるようになる。さらに、洗浄ホースを送る際、その洗浄ホースと掃除口の開口縁及び曲がり管の内壁面との間の摩擦力が小さくなることで、洗浄ノズルを上流側に送る際の送り抵抗が小さくなる。このため、後方噴射型の洗浄ノズルの推進力を有効に利用できるようになる。
【０００８】
請求項２の発明によると、掃除口は奥側で拡開するように構成されている。このため、洗浄ホースがより一層掃除口の開口縁に引っ掛かり難くなる。
請求項３の発明によると、掃除口は、曲がり管の周方向に複数個形成されている。このため、集合住宅のコンクリートスラブの下面から脚部継手までの距離が小さい場合でも、洗浄作業に適した掃除口を選んで利用することが可能になる。
【０００９】
請求項４の発明は、集合住宅の各階の排水をまとめて流下させる排水立て管と、前記集合住宅の下階のコンクリートスラブの下側に配管されており、前記排水立て管によって導かれた排水を所定位置まで横方向に搬送する排水横主管と、前記排水立て管と前記排水横主管とを接続する脚部継手とを備える排水設備であって、前記排水横主管と前記脚部継手との間、あるいは前記排水横主管の途中には、掃除口を備える管継手がその掃除口を上向きにした状態で、前記排水横主管と同軸、かつその排水横主管に対して軸心回りに回動可能な構成で連結されており、前記掃除口は、その掃除口の軸心が前記管継手の軸心に対して直角、あるいは下流側に傾斜するように形成されていることを特徴とする。
【００１０】
本発明によると、管継手は掃除口が上向きになるように排水横主管と同軸に連結されている。このため、洗浄中に汚水が掃除口から流出し難くなる。また、管継手は、排水横主管と同軸、かつ排水横主管に対して軸心回りに回動可能な構成で連結されている。このため、集合住宅のコンクリートスラブの下面から管継手の掃除口までの距離が小さく、洗浄ノズル及び洗浄ホースを掃除口に挿入し難い場合には、管継手を排水横主管に対して軸心回りに所定角度だけ回動させることで、掃除口を適正な位置まで移動させることができる。
また、掃除口の軸心が管継手の軸心に対して直角、あるいは下流側に傾斜するように、その掃除口が形成されているため、洗浄ノズルを上流側に送る際に、洗浄ホースの曲げ半径を従来よりも大きくできる。このため、請求項１の場合と同様に洗浄ノズルを上流側に送る際の送り抵抗が小さくなり、後方噴射型の洗浄ノズルの推進力を有効に利用できるようになる。
【００１１】
請求項５の発明によると、掃除口は奥側で拡開するように構成されている。このため、洗浄ホースが掃除口の開口縁に引っ掛かり難くなり、上流側にも、下流側にも洗浄ホースを挿入し易くなる。
請求項６の発明によると、脚部継手は、コンクリートスラブの貫通孔に通される構成で、排水立て管を接続可能な立て管接続口が前記コンクリートスラブの上側に突出しており、管継手あるいは排水横主管を接続可能な横主管接続口が前記コンクリートスラブの下側で横向きに位置決めされていることを特徴とする。
このように、脚部継手をコンクリートスラブの貫通孔に通すことができるため、排水横主管の配管レベルをコンクリートスラブの下面（スラブ下面）に極力接近させて省スペースを図ることが可能になる。一方、スラブ下面と排水横主管との間隔が狭小化されることで、洗浄作業性を考慮すると掃除口の設置が困難になる。しかし、排水横主管は、例えば、1/100の配管勾配を有しているため、脚部継手から下流側に離れるにつれて、スラブ下面と排水横主管との間隔が広くなる。このため、掃除口を有する管継手は、スラブ下面と排水横主管との間隔が所定値以上となる位置、即ち、脚部継手から下流側に適宜距離だけ離れた位置に設定するのが好ましい。
請求項７の発明によると、管継手は、脚部継手との接続に使用される脚部継手接続部と、排水横主管との接続に使用される横主管接続部と、前記脚部継手接続部と横主管接続部との間に形成されている直管部とを有しており、掃除口は、その直管部の中央部に設けられている。
また、請求項８の発明に示すように、掃除口を直管部の端部寄りに設けても良い。
【発明の効果】
【００１２】
本発明によると、掃除口が上向きになるため、洗浄中に汚水が掃除口から流出し難くなる。また、洗浄ノズルを掃除口に挿入する際に、洗浄ホースを大きく曲げる必要がなくなるため、洗浄ノズルを上流側に送る際の送り抵抗が小さくなり、後方噴射型の洗浄ノズルの推進力を有効に利用できるようになる。
【発明を実施するための最良の形態】
【００１３】
［実施形態１］
以下、図１、図２に基づいて本発明の実施形態１に係る脚部継手の説明を行う。本実施形態に係る脚部継手は、マンション等の集合住宅における排水設備において使用される脚部継手であり、図１にその脚部継手の平面図（Ａ図）、側面図（Ｂ図）、正面図（Ｂ図のC‐C矢視図）（Ｃ図）及び掃除口の縦断面図（Ｄ図、Ｅ図）が示されている。また、図２（Ａ）は脚部継手の使用例を表す側面図、図２（Ｂ）は排水管の洗浄方法を表す側面図である。
マンション等の集合住宅における排水設備は、集合住宅の上下方向に延びる排水立て管１４（図２参照）と、その集合住宅の各階毎に設けられた各種の排水横枝管（図示省略）とを備えている。集合住宅の各階の排水は、各々の前記排水横枝管によって排水立て管１４まで導かれ、さらに排水立て管１４に沿って流下する。排水立て管１４の下端部は、脚部継手２０によって排水横主管１６に接続されている。
【００１４】
排水横主管１６は、排水立て管１４によって導かれた排水を所定位置まで横方向に搬送する太管であり、集合住宅の最下階の床面を構成するコンクリートスラブＣｓの下側（床下の天井部）に配管されている。
脚部継手２０は、図２（Ａ）等に示すように、排水立て管１４と排水横主管１６とを接続する略円弧形の継手である。脚部継手２０は、上流端に設けられた立て管接続口２２と、下流端に設けられた横主管接続口２４と、両接続口２２，２４の間に形成された曲がり管２６とから構成されている。
曲がり管２６は、図１（Ｂ）に示すように、上流側の円弧部２６ｅと、下流側の短管部２６ｓとから構成されており、その短管部２６ｓに複数（図１では三個）の掃除口３０が円周方向に形成されている。
【００１５】
掃除口３０は、排水立て管１４等を洗浄するときに、図２（Ｂ）に示すように、洗浄ノズル４０及び洗浄ホース４２を挿入するための開口であり、洗浄時以外はプラグ３２によって塞がれている。掃除口３０は、脚部継手２０が排水立て管１４と排水横主管１６とに接続された状態で上向きとなるように、曲がり管２６の円弧中心Ｔ側に位置する外側面に形成されている。また、掃除口３０は、その掃除口３０の軸心Ｊｃが、図１（Ｂ）に示すように、曲がり管２６の軸心Ｊｍに対して直角になるように形成されている。なお、掃除口３０は、図１（Ｅ）に示すように、軸方向に等しい径寸法で形成するのが一般的であるが、図１（Ｄ）に示すように、奥側で拡開するように形成することも可能である。
複数の掃除口３０のうちで中央の掃除口３０は、その軸心Ｊｃが、図１（Ｃ）の正面図に示すように、立て管接続口２２の軸心Ｊｍと重なる位置に形成されている。また、中央の掃除口３０を挟んで両側に位置する掃除口３０は、その中央の掃除口３０に対して曲がり管２６の円周方向において45°傾斜した状態で形成されている。
【００１６】
曲がり管２６の上流端に設けられる立て管接続口２２は、排水立て管１４の下端部が挿入接続される部分であり、第１フランジ２２ｆを備える上流端受け口２２ｄと、その第１フランジ２２ｆに連結される第２フランジ２２ｘとを有している。第１フランジ２２ｆと第２フランジ２２ｘとの間にはリング状のシール材２２ｓが挟まれており、両フランジ２２ｆ,２２ｘがボルト・ナット機構２２ｂにより連結されている。このため、排水立て管１４の下端部を第２フランジ２２ｘ、シール材２２ｓに通して上流端受け口２２ｄに挿入し、ボルト・ナット機構２２ｂのナット等を締付けることにより、弾性変形したシール材２２ｓによって上流端受け口２２ｄと排水立て管１４との間がシールされる。
曲がり管２６の下流端に設けられる横主管接続口２４は、排水横主管１６の端部が挿入接続される部分であり、立て管接続口２２と等しい構造で、排水横主管１６の管径に合わせて立て管接続口２２よりも大径に形成されている。
また、曲がり管２６の円弧中心Ｔと反対側の外側面には、脚部継手２０を支持するためのブラケット（図示省略）に支えられる突起２９が設けられている。なお、突起２９の先端には、防振用の弾性体２９ｘが装着されている。
【００１７】
次に、洗浄ノズル４０及び洗浄ホース４２を使用して排水立て管１４及び排水横主管１６を洗浄する手順を説明する。
前述のように、排水横主管１６は、集合住宅の最下階の床面を構成するコンクリートスラブＣｓの下側（床下の天井部）に配管されているため、この排水横主管１６に接続される脚部継手２０の掃除口３０も床下の天井部に位置しており、洗浄作業の条件は良くない。このため、先ず、洗浄ノズル４０及び洗浄ホース４２の挿入に適した掃除口３０を選択する。例えば、コンクリートスラブＣｓの下面（天井面）から脚部継手２０の短管部２６ｓまでの距離が小さい場合には、傾斜した2つの掃除口３０のうち、洗浄ノズル４０を挿入し易い向きに形成された掃除口３０を選択する。
【００１８】
次に、選択された掃除口３０のプラグ３２を外し、洗浄ノズル４０及び洗浄ホース４２を掃除口３０に挿入した後、その掃除口３０をウエス等で塞ぐ。この状態で、洗浄ノズル４０に洗浄水を供給し、洗浄ホース４２を送りながら洗浄ノズル４０を排水立て管１４の上流側に移動させる。洗浄ノズル４０は、洗浄水を後方に噴射しながらその推進力と、作業員が洗浄ホース４２を送る力とによって、排水立て管１４内を上流側に移動する。これによって、排水立て管１４の内壁面に付着している汚物が洗浄水によって洗い流される。排水立て管１４の洗浄は、洗浄ノズル４０がその排水立て管１４の上端に到達するのに必要な長さの洗浄ホース４２が管内に送り込まれた段階で終了する。
排水立て管１４の洗浄が終了すると、給水が止められ、洗浄ホースが巻き取られた後、上記と同様な手順で排水横主管１６の洗浄が行われる。洗浄が全て終了すると、洗浄ノズル４０が掃除口３０から引き抜かれ、その掃除口３０がプラグ３２によって閉じられる。
【００１９】
このように、本実施形態に係る脚部継手２０によると、掃除口３０は、横主管接続口２４の近傍で、かつ曲がり管２６の円弧中心Ｔ側に位置する外側面に形成されている。このため、脚部継手２０が排水立て管１４及び排水横主管１６に接続された状態で、掃除口３０は上向きになる。したがって、排水立て管１４の洗浄中に汚水が掃除口３０から流出し難くなる。
また、掃除口３０の軸心Ｊｃは、曲がり管２６の軸心Ｊｍに対して直角に設定されている。このため、洗浄ノズル４０を排水立て管１４側に送る際に、洗浄ホース４２の曲げ半径を比較的大きくできる。これによって、洗浄ホース４２が掃除口３０の開口縁に引っ掛かり難くなるとともに、洗浄ホース４２を掃除口３０に押し込む力を洗浄ノズル４０の送り力として有効に利用できるようになる。さらに、洗浄ホース４２を送る際、その洗浄ホース４２と掃除口３０の開口縁及び曲がり管２６の内壁面との間の摩擦力が小さくなることで、洗浄ノズル４０を上流側に送る際の送り抵抗が小さくなる。このため、後方噴射型の洗浄ノズル４０の推進力を有効に利用できるようになる。
また、掃除口３０が奥側で拡開するように、その掃除口３０を形成することにより、洗浄ホース４２が掃除口３０の開口縁により一層引っ掛かり難くなる。
また、掃除口３０は、曲がり管２６の周方向に等間隔で複数個（三個）形成されているため、集合住宅のコンクリートスラブＣｓの下面から脚部継手２０までの距離が小さい場合でも、洗浄に適した掃除口３０を選ぶことが可能になる。
【００２０】
［実施形態２］
以下、図３から図５に基づいて本発明の実施形態２に係る排水設備の説明を行う。本実施形態に係る排水設備では、脚部継手の下流側に掃除口を備える管継手を設け、排水立て管及び排水横主管の洗浄を行うようにしている。ここで、図３は本実施形態に係る排水設備の側面図、図４は脚部継手と管継手との関係を表す正面図及び排水管の洗浄方法を表す側面図である。
本実施形態に係る排水設備は、排水立て管１４と、排水横主管１６と、脚部継手２０とを備えており、脚部継手２０と排水横主管１６との間に掃除口５４を備える管継手５０が設けられている。
【００２１】
管継手５０は、短管状の継手であり、上流端に脚部継手２０との接続に使用される脚部継手接続口５１が設けられており、下流端に排水横主管１６との接続に使用される横主管接続口５２が設けられている。ここで、脚部継手接続口５１及び横主管接続口５２の構造は実施形態１で説明した立て管接続口２２及び横主管接続口２４の構造と等しいため、説明を省略する。
このように、管継手５０は、脚部継手接続口５１及び横主管接続口５２によって脚部継手２０及び排水横主管１６と接続される構成のため、脚部継手接続口５１及び横主管接続口５２のボルト、ナットを緩めることで、管継手５０を脚部継手２０及び排水横主管１６に対して軸心回りに所定角度だけ回動させることが可能になる。
管継手５０の外側面には、掃除口５４が形成されている。掃除口５４は、その軸心Ｊｃが管継手５０の軸心Ｊｍに対して直角になるように、管継手５０の外側面に形成されている。なお、掃除口５４の軸心Ｊｃが管継手５０の下流側に傾斜するように、掃除口５４を形成することも可能である。
【００２２】
コンクリートスラブＣｓの下面から排水横主管１６までの距離が大きい場合、管継手５０は、図３（Ａ）、図４（Ａ）に示すように、掃除口５４が真上を向くように、脚部継手２０及び排水横主管１６に接続される。
また、コンクリートスラブＣｓの下面から排水横主管１６までの距離が小さい場合には、管継手５０は、図３（Ｂ）、図４（Ｂ）（Ｃ）に示すように、掃除口５４が左あるいは右に45°傾くように、脚部継手２０及び排水横主管１６に接続される。
ここで、掃除口５４はネジ付きの蓋５６によって塞がれる構造であり、その蓋５６は吊り紐５５によって管継手５０に連結されている。このため、洗浄中に蓋５６が紛失する等のトラブルが発生し難くなる。また、掃除口５４は、軸方向に等しい径寸法で形成するのが一般的であるが、図４（Ｅ）に示すように、奥側で拡開するように形成することも可能である。また、掃除口５４をネジ付きの蓋５６で塞ぐ構成を説明したが、図４（Ｆ）に示すように、掃除口５４をフランジ蓋（図示省略）で塞ぐ構成にすることも可能である。
なお、図４（Ｄ）に示す排水立て管１４及び排水横主管１６の洗浄方法は、実施形態１と等しいため、説明を省略する。
【００２３】
また、本実施形態では、脚部継手２０と排水横主管１６との間に管継手５０を取付ける例を示したが、図５（Ａ）（Ｂ）に示すように、排水横主管１６の途中部分に管継手５０を取付けることも可能である。
また、実施形態１及び実施形態２では、脚部継手２０及び排水横主管１６をコンクリートスラブＣｓの下側に設置する排水設備を例示したが、図５（Ｂ）に示すように、脚部継手２０の一部を貫通孔からコンクリートスラブＣｓの上側に突出させて、その脚部継手２０の上流端に排水立て管１４を接続することも可能である。このように、脚部継手２０をコンクリートスラブＣｓの貫通孔に通すことにより、排水横主管１６の配管レベルをコンクリートスラブＣｓの下面（スラブ下面）に極力接近させて省スペースを図ることが可能になる。一方、スラブ下面と排水横主管１６との間隔が狭小化されることで、洗浄作業性を考慮すると掃除口の設置が困難になる。しかし、排水横主管１６は、例えば、1/100の配管勾配を有しているため、脚部継手２０から下流側に離れるにつれて、スラブ下面と排水横主管１６との間隔が広くなる。このため、掃除口５４を有する管継手５０は、スラブ下面と排水横主管１６との間隔が所定値以上となる位置、即ち、脚部継手２０から下流側に適宜距離だけ離れた位置に設定するのが好ましい。
【００２４】
また、本実施形態では、短管状の管継手５０を使用する例を示したが、図６（Ａ）（Ｂ）に示すように、中央掃除口６６付きの直管部６０ｓを有する管継手６０を使用することも可能である。管継手６０は、図６（Ａ）に示すように、その上流端及び下流端が共に管状に形成されているものであっても良いし、図６（Ｂ）に示すように、上流端が管状であって、下流端に横主管接続口６８を備えるものであっても良い。図６（Ａ）に示す管継手６０では、上流端が脚部継手２０の横主管接続口２４に挿入接続され、下流端が排水横主管１６側の雌型管継手６５の接続口６４に挿入接続される。また、図６（Ｂ）に示す管継手６０では、上流端が脚部継手２０の横主管接続口２４に挿入接続され、下流端の横主管接続口６８に排水横主管１６の上流端が挿入接続される。
なお、掃除口６６は直管部６０ｓの端部寄りに設けても良い。
即ち、管継手６０の直管部６０ｓの上流端が本発明の脚部継手接続部に相当し、管継手６０の直管部６０ｓの下流端が本発明の横主管接続部に相当する。
また、直管部６０ｓを有する管継手６０を使用する代わりに、図６（Ｃ）に示すように、脚部継手２０におけるスラブ下面側の短管２６ｓを直管状に長くして、通常の短管状の管継手５０を使用することも可能である。
【図面の簡単な説明】
【００２５】
【図１】本発明の実施形態１に係る脚部継手の平面図（Ａ図）、側面図（Ｂ図）、正面図（Ｂ図のC‐C矢視図）（Ｃ図）及び掃除口の縦断面図（Ｄ図、Ｅ図）である。
【図２】脚部継手の使用例を表す側面図（Ａ図）及び排水管の洗浄方法を表す側面図（Ｂ図）である。
【図３】本発明の実施形態２に係る排水設備の側面図（Ａ図、Ｂ図）である。
【図４】脚部継手と管継手との関係を表す正面図（Ａ図、Ｂ図、Ｃ図）、排水管の洗浄方法を表す側面図（Ｄ図）及び掃除口の縦断面図（Ｅ図、Ｆ図）である。
【図５】排水設備の変更例を表す側面図（Ａ図、Ｂ図）である。
【図６】排水設備の変更例を表す側面図（Ａ図、Ｂ図、Ｃ図）である。
【図７】従来の脚部継手を表す側面図である。
【符号の説明】
【００２６】
１４      排水立て管
１６      排水横主管
２０      脚部継手
２２      立て管接続口
２４      横主管接続口
２６      曲がり管
３０      掃除口
３２      プラグ
４０      洗浄ノズル
４２      洗浄ホース
Ｃｓ      コンクリートスラブ
５０      管継手
５４      掃除口
【図１】
2005232907.tif 000003
【図２】
2005232907.tif 000004
【図３】
2005232907.tif 000005
【図４】
2005232907.tif 000006
【図５】
2005232907.tif 000007
【図６】
2005232907.tif 000008
【図７】
2005232907.tif 000009